(57)【要約】【課題】  従来のポンチョは、山登り等の雨天時や極寒時に着用して雨や寒さから登山者の身体を守ることを目的としているものであり、ビバーク時におけるテント等に使用して風雨を避けるということができないといった問題があった。【解決手段】  透湿防水遮光加工を行ったシート１の中央に着用者の頭部を通すための開口部１３を折り返し部に形成すると共に両側辺の全長に渡ってジッパー４，５を取付け、かつ、該ジッパーの外側にホックボタン２，３を取付け、前記一対のジッパーのスライダー４１，５１が互い違いになるように、また、両側のホックボタンの雄ホック２と雌ホック３が前記開口部が形成された折り返し部を対称として互い違いになるように取付けられたポンチョである。【選択図】      図１
2005213701.tif 000002
【特許請求の範囲】
【請求項１】
透湿防水遮光加工を行ったシートの中央に着用者の頭部を通すための開口部を折り返し部に形成すると共に両側辺の全長に渡ってジッパーを取付け、かつ、該ジッパーの外側にホックボタンを取付け、前記一対のジッパーのスライダーが互い違いになるように、また、両側のホックボタンの雄ホックと雌ホックが前記開口部が形成された折り返し部を対称として互い違いになるように取付けられいることを特徴とするポンチョ。
【請求項２】
前記開口部にはネック部が一体的に逢着され、該ネック部は顔の前でホックボタンにより開閉可能に構成されると共に、ネック部の上部にはゴム紐により開口径を調整することが可能としたことを特徴とする請求項１記載のポンチョ。
【請求項３】
前記開口部の後身頃部側にフード部が逢着され、該フード部は折畳んだ状態で前記ネック部の後部に設けられたホックボタンと係合されるホックボタンが設けたことを特徴とする請求項１記載のポンチョ。
【発明の詳細な説明】
【技術分野】
【０００１】
本発明は、展開すると１枚のシートになり、その中央部に頭を通す開口部が形成され着衣として利用できると共に、テントや塹壕の上に張る雨避けシートとしても利用できるポンチョに関する。
【背景技術】
【０００２】
ポンチョの中には、展開すると１枚のシートになり、その中央部に頭を通して着衣可能にしたものがある。この種のポンチョを着用する場合には、シート本体の中央部に設けた頭通しの開口部に頭を通した後、シート本体の左右側縁に設けたジッパーやホックボタンによって腕通し部分を除いて左右側縁を止めて着用するものである。
【特許文献１】特開２０００−３５５８０４号公報
【発明の開示】
【発明が解決しようとする課題】
【０００３】
ところで、前記特許文献１のポンチョにあっては、山登り等の雨天時や極寒時に着用して雨や寒さから登山者の身体を守ることを目的としているものであり、ビバーク時におけるテント等に使用して風雨を避けるということができないといった問題があった。
【０００４】
本発明は前記した問題点を解決せんとするもので、その目的とするところは、テント等として使用することが可能であると共に、２枚あるいはそれ以上の枚数を連結してテントや塹壕の上に張る雨避けシートとして利用でき、かつ、連結部からの水の侵入を防止でき、さらに、頭部を通すための開口部を狭くすることで雨漏りを防止することができ、さらに、シートを透湿防水および遮光シートによって形成することで、シートからの漏水を防止できると共に外部への光が漏れることがないポンチョを提供せんとするにある。
【課題を解決するための手段】
【０００５】
本発明のポンチョは前記した目的を達成せんとするにある、その請求項１の手段は、透湿防水遮光加工を行ったシートの中央に着用者の頭部を通すための開口部を折り返し部に形成すると共に両側辺の全長に渡ってジッパーを取付け、かつ、該ジッパーの外側にホックボタンを取付け、前記一対のジッパーのスライダーが互い違いになるように、また、両側のホックボタンの雄ホックと雌ホックが前記開口部が形成された折り返し部を対称として互い違いになるように取付けられたものである。
【０００６】
請求項２の手段は、前記した請求項１において、前記開口部にはネック部が一体的に逢着され、該ネック部は顔の前でホックボタンにより開閉可能に構成されると共に、ネック部の上部にはゴム紐により開口径を調整することが可能となっている。
【０００７】
請求項３の手段は、前記した請求項１において、前記開口部の後身頃部側にフード部が逢着され、該フード部は折畳んだ状態で前記ネック部の後部に設けられたホックボタンと係合されるホックボタンが設けられている。
【発明の効果】
【０００８】
本発明は前記したように、２枚のポンチョをジッパーによって連結することができると共に、ボタンホックを取付けることにより、該ボタンホックによって取付部分が合掌状態となることから雨水が連結部から侵入することを防止することができ、テントや塹壕の上に張る雨避けシートとして利用した場合に、雨水による内部への漏れがなく、また、ネック部のゴム紐を引くことにより開口径が小さくなるので、より雨水の内部への漏れを防止でき、さらに、ネック部にフード部を取付け、前記絞ったネック部の上に被せることで雨水の内部への漏れを完全に防止でき、また、遮光性生地により形成されているため、テント、シート内から光が外部に漏れることがなものである。
【０００９】
また、着用状態において、ボタンホックのみで左右縁を止めることにより、緊急時にポンチョを脱がなければならないような状況時において、ボタンホックのみであることから直ちに左右縁が開放され脱ぐことが可能であり、かつ、ネック部にもボタンホックを取付けたことにより、該ボタンホックを外すことで着用者の頭部も抜けやすくなり、より脱ぐのに容易に行えるものである。
【００１０】
さらに、ネック部の後ろ側にフード部を取付けると共に不使用時には巻き込んでネックの後ろ側に固定できるので、フード部が邪魔になることがなることがなく、また、雨降りにおいてフード部を被らないような場合にフード部内に水が溜まったりすることがない等の効果を有するものである。
【発明を実施するための最良の形態】
【００１１】
以下、図１〜図９により本発明のポンチョの一実施例を説明する。
図１は本発明に係るポンチョの展開した状態における平面図、図２は本発明に係るポンチョの着衣状態を示す正面図、図３は図２のＡ部分の拡大図、図４は図２のＢ部分の拡大図、図５は図２のＣ部分の拡大図、図６は本発明に係るポンチョのフードを折り畳んだ状態を示す正面図、図７は本発明に係るポンチョを連結してテントとした状態を示す説明図、図８はテント開口部を塞ぐテント用布の説明図、図９は本発明に係るポンチョを塹壕に被せるシートとした状態を示す説明図である。
【００１２】
本発明に係るポンチョは、図１に示すように、展開した状態において１枚のシートとなるシート本体１からなる。このシート本体１には、着衣状態において前身頃となる前身頃部１１と、後身頃となる後身頃部１２との間に頭通し用の開口部１３が形成されている。また、シート本体１は、防水性、透湿性に優れ、かつ、軍事目的に利用する場合を考慮して、遮光性の生地により形成されている。なお、１３はシート本体１の長手方向の中心位置の折り返し部に形成された頭通し用の開口部である。
【００１３】
また、このシート本体１の左側縁１４には雄ホック２と雌ホック３が取付けられ、また、右側縁１５には前記雄ホック２と係合する雌ホック３および雌ホック３と係合する雄ホック２が取付けられている。このように、雄ホック２、雌ホック３のみでシート本体１の左右側縁１４，１５を閉じた場合には、両手をポンチョ内に入れていても戦場における敵襲等の緊急時においてボタンホック２，３の係合を外すことができるので、速やかにポンチョを脱いで応戦することが可能となる。
【００１４】
また、前記左右側縁１４，１５の前記ボタンホック２，３より内側にはジッパー４，５が設けられている。また、ジッパー４，５も前記したと同様に、該ジッパー４，５のスライダ４１，５１が点対称となるように取付けられている。詳しくは、図１に示すように、前身頃部１１の左側縁にスライダ４１を有するジッパー４が設けられ、着衣時にこれと係合する箱５１を有するジッパー５が後身頃部１２の左側縁に設けられている。また、前身頃部１１の右側縁に箱５１を有するジッパー５が設けられ、着衣時にこれと係合するスライダ４１を有するジッパー４が後身頃部１２の右側縁に設けられている。
【００１５】
このように、シート本体１に対して雄ホック２、雌ホック３を左右対称に取付け、ジッパー４，５を点対称に取付けることにより、他のポンチョのジッパー同士を係合することができ、また、ボタンホック同士を係合することができるものである。なお、図３及び図４に示すように、シート本体１を展開した状態における四隅、及び、シート本体１の左右側縁の内側で頭通し用の開口部１３の左右には、テントとして使用する場合にテントを張るための杭等との間に一体が取付けられた引き綱の他端を取付けるための引の綱通し部６が設けられている。
【００１６】
次に、図３に示す、前記頭通し用の開口部１３の周囲に縫い付けられるネック部７及びフード部８について説明する。
ネック部７は、着用者の首元を覆うものであって、シート本体１と同一の生地を帯状にしたものである。また、着衣時において、顔の前面で端部同士が重なり合うようにシート本体１の開口部１３に逢着されると共に、当該端部はホック７１，７２により開閉可能となっている。さらに、ネック部７の上部にはネック部７の大きさ（開口径）を調整するゴム紐７３が設けられている。このように、ネック部７の大きさを調整する紐をゴム製にすることにより、前記ホック７１，７２を外してネック部７をゴム紐７３のゴム力に抗して開放することで、敵襲等の緊急時にネック部７より頭部が抜けやすくなるのでポンチョが脱ぎ易くなる。
【００１７】
フード部８はネック７の外側であって、開口部１３の後身頃１２側のシート本体１に逢着されている。このフード部８は、前頭部、側頭部、後頭部を覆うためのもので、シート本体１と同一の生地を袋状に形成したものである。また、顔を出す前面開口部８１の縁には、フード部８の大きさを調整する絞り紐８２が設けられている。この絞り紐８２により、前記顔面開口部８１を広げ、あるいは、目元のみに制限することが可能となる。
【００１８】
なお、前記フード部８は、図６に示すように折り畳み留めることができるようになっている。詳しくは、図６（ａ）に示すように、ネック部７を前身頃部１１に側に倒すと共に、フード部７を折り畳み、ネック部７の後部に設けたホック７４にフード部８の後部に設けたホック８３と係合させる。これにより、図６（ｂ）の後身頃部１２側から示すように、フード部８を折り畳み留めることができ、フード部８を使用しない場合であっても邪魔になったり、雨降りの時に雨がフード内に溜まるようなことがない。
【００１９】
次に、本発明に係るポンチョをテントとして使用する場合について説明する。  ポンチョを構成するシート本体１の左右側縁に縫い付けたジッパー４，５の配置は、上述のようにシート本体１の中心部を支点とした点対称となっている。従って、２枚のポンチョを連結してテントを構成する場合、まず、隣り合うシート本体１のジッパー４，５を係合させる。これにより、２枚のポンチョが１枚のシートとなる。
【００２０】
さらに、シート本体１の左右側縁４，５に設けた雄ホック２、雌ホック３についてもシート本体１に対して対称位置に取付けられているため、隣り合うシート本体１の雄ホック２を雌ホック３に係合させることができる。これにより、２枚のシート本体１は、ホック２，３及びジッパー４，５により連結されるため、ホックのみ、または、ジッパーのみで連結する場合に比べて雨水がテント内に浸入することを防止することができる。さらに、図７に示すように、連結部分は左右側縁１４，１５が合掌状態となるため、左右側縁１４，１５を２枚重ねする場合と比べ、雨水が連結部からテント内に侵入するのを防止することができる。
【００２１】
そして、テントを張るための杭等に、シート本体１に設けた引き綱通し部６を挿通して引き綱を引っ張りながらテントを組み立てる。この際、ネック部７のゴム紐７３によってネック部７の口部を縮めると共にフード部８によって開口部１３を覆うことにより、雨水がテント内に浸入することを防止することができる。
【００２２】
また、本発明に係るポンチョの材質としては、上述のように遮光性の生地を使用しているため、図８に示すようなテント開口部分を塞ぐテント用布９を用いることにより、テント内部の光が外部に漏れることを完全に防止することができる。この場合においても、シート本体１との連結部分は合掌状態となり、雨水等の浸入も防止することができる。
【００２３】
さらに、複数のポンチョを塹壕を覆うシートとして使用する場合を図９に示す。
この場合も前記したとテントの場合と同様に、隣り合うシート本体１をホック２，３及びジッパー４，５により連結でき、さらに、連結部分は左右側縁１４，１５の合掌状態となる。この状態において、塹壕の外側に埋め込んだ杭とシート本体の引き綱通し部６との間に引き綱を張ってシート本体１を弛まないように張る。これにより、雨水が連結部から塹壕内に進入することを防止することができると共にネック部７のゴム紐７３によってネック部７の口部を縮めると共にフード部８によって開口部１３を覆うことにより、より雨水が塹壕内に浸入することを防止することができる。
【産業上の利用可能性】
【００２４】
本発明に係るポンチョは、着衣としての使用のみならず、前記したように、テントやシート等として利用することができる。特に、遮光性の生地を使用しているため、軍事用としての利用に適している。
【図面の簡単な説明】
【００２５】
【図１】本発明に係るポンチョを展開した状態における平面図である。
【図２】本発明に係るポンチョの着衣状態を示す正面図である。
【図３】図２のＡ部分の拡大図である。
【図４】図２のＢ部分の拡大図である。
【図５】図２のＣ部分の拡大図である。
【図６】本発明に係るポンチョのフードを折り畳んだ状態を示す正面図である。
【図７】本発明に係るポンチョを連結してテントとした状態を示す説明図である。
【図８】テントの開口部を塞ぐテント用布の説明図である。
【図９】本発明に係るポンチョを塹壕を覆うシートとした状態を示す説明図である。
【００２６】
１          シート本体
１１        前身頃部
１２        後身頃部
１３        頭通し用開口部
１４，１５  左右側縁
２          雄ホック
３          雌ホック
４，５      ジッパー
６          パイプ挿通紐
７          ネック部
７３        ゴム紐
８          フード部
８２        絞り紐
９          テント用布
【図１】
2005213701.tif 000003
【図２】
2005213701.tif 000004
【図３】
2005213701.tif 000005
【図４】
2005213701.tif 000006
【図５】
2005213701.tif 000007
【図６】
2005213701.tif 000008
【図７】
2005213701.tif 000009
【図８】
2005213701.tif 000010
【図９】
2005213701.tif 000011